(57)【要約】【課題】エレベータのかご上での作業員の安全性を高めたかご上安全装置を提供することを課題とする。【解決手段】かご上安全装置１は、エレベータのかご上にかご前部１ｆから少なくともかご中央部１ｃにまで跨るように設けられた長尺状の安全帯フック掛け用部材１２と、安全帯フック掛け用部材１２に掛けられた安全帯フック８をかご前部１ｆから少なくともかご中央部１ｃまでの間を摺動自在なように、安全帯フック掛け用部材１２の両端部を保持する保持手段１１と、を備えている。【選択図】図１
2013154029.tif 000002
【特許請求の範囲】
【請求項１】
エレベータのかご上にかご前部から少なくともかご中央部にまで跨るように設けられた長尺状の安全帯フック掛け用部材と、
前記安全帯フック掛け用部材に掛けられた安全帯フックを前記かご前部から少なくともかご中央部までの間で摺動自在とするように、前記安全帯フック掛け用部材の両端部を保持する保持手段と、
を備えたことを特徴とするかご上安全装置。
【請求項２】
前記保持手段は、前記安全帯フック掛け用部材の一方の端部を固定する前部側保持部材を、前記かご前部に配置されているドアマシン台に固定して備えたことを特徴とする請求項１記載のかご上安全装置。
【請求項３】
エレベータのかご上に、
リール式の安全帯と、
前記安全帯の一方の端部に固定された安全帯フックと、
かご前部に配置され前記安全帯フックを掛ける安全帯フック掛け用部材と、
かご上のかご中央部に設けられ、前記安全帯の他方の端部を固定して前記安全帯の巻き出しおよび巻き取りを可能とする安全帯取付部材と、
を備えたことを特徴とするかご上安全装置。
【請求項４】
前記安全帯と、前記安全帯フックと、前記被保持部材とを一組とした一式部材を複数備えたことを特徴とする請求項３記載のかご上安全装置。
【請求項５】
前記安全帯フック掛け用部材と、かご上で前記かご前部に配置されているドアマシン台との間に、前記安全帯フックが前記安全帯フック掛け用部材から外れているときには作業中である旨を伝えるかご上点検スイッチを有することを特徴とする請求項３または４記載のかご上安全装置。
【発明の詳細な説明】
【技術分野】
【０００１】
本発明の実施形態は、エレベータのかご上での作業員の安全性確保のために設けられるかご上安全装置に関する。
【背景技術】
【０００２】
エレベータのかご上でメンテナンスなどの作業をすることは、乗りかご内の照明のランプ交換や、昇降路内に設置された機器の点検及び交換をする上で、必要不可欠である（例えば特許文献１参照）。
【０００３】
この作業では、作業員の転落防止のためリール式安全帯を作業員の腰ベルトに装着し、安全帯フックをかご上に常設された安全帯フック掛けプレートに引っ掛けて作業していることが多い。
【先行技術文献】
【特許文献】
【０００４】
【特許文献１】特表２００５−５００９６２号公報
【発明の概要】
【発明が解決しようとする課題】
【０００５】
ところで、従来では、かご上の取り合い上、かご上に常設の安全帯フック掛けプレートが、出入口幅よりも奥まったかご側面側に設置されている。このため、作業員が昇降路側へ身を乗り出して安全帯フックを掛けなければならず、その際の転落の危険性が考えられていた。
【０００６】
また、かご前方に常設された安全帯フック掛けプレートに引っ掛けただけでは、かご上点検時のかご背面側での作業を行う際にリール式安全帯のベルト全長が不足するため、かご中央部に常設の上梁に締結されている安全帯フック掛けプレートへ安全帯フックを掛け直す作業が発生している。その際に安全帯フックを掛け直す一瞬の作業において、安全帯フックがかかっていない状態が生じ、転落などの危険性が考えられる。
【０００７】
本発明は上記事情に鑑みてなされたものであり、エレベータのかご上での作業員の安全性を高めたかご上安全装置を提供することを課題とする。
【課題を解決するための手段】
【０００８】
実施形態のかご上安全装置は、エレベータのかご上にかご前部から少なくともかご中央部にまで跨るように設けられた長尺状の安全帯フック掛け用部材と、安全帯フック掛け用部材に掛けられた安全帯フックをかご前部から少なくともかご中央部までの間で摺動自在とするように、安全帯フック掛け用部材の両端部を保持する保持手段と、を備えたことを特徴とする。
【図面の簡単な説明】
【０００９】
【図１】（ａ）は第１実施形態に係るかご上安全装置の背面斜視図（かご背面側から見た斜視図）であり、（ｂ）は（ａ）を部分的に拡大してかご上安全装置の使用状況を説明する背面斜視図。
【図２】（ａ）は第２実施形態に係るかご上安全装置の背面斜視図であり、（ｂ）は（ａ）を部分的に拡大してかご上安全装置の使用状況を説明する背面斜視図。
【図３】第３実施形態に係るかご上安全装置の要部背面斜視図。
【図４】（ａ）は、第４実施形態に係るかご上安全装置の要部背面斜視図であり、（ｂ）は（ａ）を部分的に拡大してかご上安全装置の使用状況を説明する背面斜視図。
【図５】図４（ｂ）のＰ部の部分拡大図。
【図６】第５実施形態に係るかご上安全装置の要部背面斜視図。
【発明を実施するための形態】
【００１０】
以下に、添付図面を参照して、実施形態に係るかご上安全装置について説明する。なお、以下の説明では、既に説明したものと同様の構成要件には同じ符号を付してその説明を省略する。
【００１１】
［第１実施形態］
まず、第１実施形態について説明する。図１で、（ａ）は、本実施形態に係るかご上安全装置の背面斜視図（かご背面側から見た斜視図）であり、（ｂ）は、（ａ）を部分的に拡大してかご上安全装置の使用状況を説明する背面斜視図である。
【００１２】
図１に示すように、本実施形態に係るかご上安全装置１は、エレベータのかご（乗りかご）上に設けられたものであり、かご前部１ｆからかご中央部１ｃにまで跨るように設けられた、長尺パイプ状の安全帯フック掛け用部材１２と、安全帯フック掛け用部材１２に掛けられた安全帯フック８をかご前部１ｆからかご中央部１ｃに摺動自在なように、安全帯フック掛け用部材１２の両端部を保持する保持手段１１とを備えている。
【００１３】
保持手段１１は、かご前部側の安全帯フック掛け用部材１２を保持するブラケット状の前部側保持部材１１ｆと、かご中央部側の安全帯フック掛け用部材１２を保持するブラケット状の中央部側保持部材１１ｇとで構成される。
【００１４】
前部側保持部材１１ｆはかご前部１ｆのドアマシン台３に、中央部側保持部材１１ｇはかご中央部１ｃの上梁２に、それぞれボルト結合などで固定されて常設されている。また、ドアマシン台３上には、作業者が作業中であることを知らせるかご上点検スイッチ７が設置されている。なお、ドアマシン台３は強度部材（強度が高い部材）である。
【００１５】
作業員１０がかご上で作業を行う際には、まずかご上点検スイッチ７をＯＮにし、身を昇降路Ｓ側へ乗り出すことなく、作業員１０が携帯しているリール式の安全帯９の安全帯フック８を安全帯フック掛け用部材１２へ引っ掛けることで転落防止等の安全性を確保する。
【００１６】
本実施形態によれば、保守（照明ランプ２１の交換など）や点検時でのかご上作業で、作業員が安全帯フック８を掛ける際、またかご背面側で作業をする際に安全帯フック８を掛け直す必要がないので、転落防止の危険を確実に排除することができ、また、作業性の向上を図ることもできる。
【００１７】
［第２実施形態］
次に、第２実施形態について説明する。図２で、（ａ）は、本実施形態に係るかご上安全装置の背面斜視図であり、（ｂ）は、（ａ）を部分的に拡大してかご上安全装置の使用状況を説明する背面斜視図である。
【００１８】
本実施形態に係るかご上安全装置２５は、エレベータのかご上に設けられたものであり、リール式の安全帯９と、安全帯９の一方の端部に固定された安全帯フック８と、かご前部２５ｆに配置され安全帯フック８を掛けるアイボルト状の安全帯フック掛け用部材１３と、かご上のかご中央部２５ｃに設けられ、安全帯９の他方の端部を固定して安全帯９の巻き出しおよび巻き取りを可能とする安全帯取付部材１４と、を備えている。安全帯取付部材１４は、かご中央部２５ｃに設置された上梁２に固定されている。
【００１９】
図２（ｂ）に示すように、作業員１０は、まずドアマシン台３に掛かっている安全帯フック８を、作業員１０の腰ベルト２０に具備されているベルトリング１５へ掛ける。これにより、安全帯フック８をかける際、またかご背面側で作業をする際に安全帯フック８の掛け直しを行う必要がない。従って、作業員１０の転落防止の危険性を確実に排除することができる。
【００２０】
また、従来では作業員一人一人が常時身につけていたリール式の安全帯９を作業員１０が常備せずに済むため、利便性が図れ、作業性が更に向上している。
【００２１】
なお、安全帯取付部材１４とリール式の安全帯９の間にベアリング等を組み込んで回転自由度を持たせることで、かご上での作業性の更なる向上も図ることができる。
【００２２】
［第３実施形態］
次に、第３実施形態について説明する。図３は、本実施形態に係るかご上安全装置の要部背面斜視図である。
【００２３】
本実施形態では、第２実施形態で説明したドアマシン台３に設置された安全帯フック掛け用アイボルト１３とドアマシン台３との間にかご上点検スイッチ１６を備え付け、安全帯フック８の使用時とかご上点検スイッチ１６の動作を連動させたものである。すなわち安全帯フック８を安全帯フック掛け用部材１３から外したときに、かご上点検スイッチ１６が自動的にＯＮとなる。なお、安全帯フック掛け用アイボルト１３は、かご上点検スイッチ１６を貫通してドアマシン台３に固定されている。
【００２４】
本実施形態によれば、第２実施形態で奏される効果に加え、作業員１０がかご上点検スイッチ１６をＯＮする必要がなく、作業員１０の安全帯フック８の使用時にはかご上点検スイッチ１６が必ずＯＮになり、ＯＮし忘れという事態は発生しない。
【００２５】
なお、かご上点検スイッチ１６のＯＮ、ＯＦＦをさせるには、電気信号、光信号などを用いてもよく、その原理は特に限定しない。
【００２６】
［第４実施形態］
次に、第４実施形態について説明する。図４で、（ａ）は、本実施形態に係るかご上安全装置の要部背面斜視図であり、（ｂ）は、（ａ）を部分的に拡大してかご上安全装置の使用状況を説明する背面斜視図である。図５は、図４（ｂ）のＰ部の部分拡大図である。
【００２７】
本実施形態に係るかご上安全装置では、上梁２に安全帯レール１８をかご横方向（かご前後方向に直交する方向）に向けて設け、安全帯レール１８の両端に安全帯ストッパー１９を設けている。安全帯レール１８上にはブラケット状の安全帯取付部材１７が設置されている。従って、安全帯レール１８に沿って安全帯取付部材１７が水平移動可能とされている。
【００２８】
本実施形態により、第２実施形態や第３実施形態で奏される効果に加え、作業員１０がかご上作業を実施した場合に、かご上に常備されたリール式安全帯９及び安全帯取付部材１７はスライド移動自在及び回転移動自在となり、作業員１０の安全状態が確保できるとともにさらなる作業性の向上が実現される。
【００２９】
［第５実施形態］
次に、第５実施形態について説明する。図６は、本実施形態に係るかご上安全装置の要部背面斜視図である。
【００３０】
本実施形態では、第４実施形態で説明した安全帯レール１８上に、安全帯取付部材１７とリール式の安全帯９と安全帯フック８とを一組とした一式部材３０を２つ備えている。
【００３１】
通常、かご上作業は一人作業であるが、リール式安全帯９の定期交換などで、いわゆるかご上二人作業が発生する場合がある。本実施形態では、このようなかご上二人作業時に各作業員が一式部材３０の安全帯フック８を、作業員１０の腰ベルト２０に具備されているベルトリング１５へ掛ける。
【００３２】
従って、本実施形態により、第２〜第４実施形態で奏される効果に加え、定期点検のように二人の作業員がかご上で作業を行う場合であっても各作業員の安全性、作業性を向上させることができるという効果を奏することができる。
【００３３】
なお、一式部材３０は、２つに限らず、それ以上（３つ以上）備えられていてもよい。
【００３４】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３５】
１  かご上安全装置
１ｃ  かご中央部
１ｆ  かご前部
３  ドアマシン台
７  かご上点検スイッチ
８  安全帯フック
９  安全帯
１１  保持手段
１１ｆ  前部側保持部材
１２  安全帯フック掛け用部材
１３  安全帯フック掛け用部材
１４  安全帯取付部材
１７  安全帯取付部材
２５  かご上安全装置
２５ｃ  かご中央部
２５ｆ  かご前部
３０  一式部材
【図１】
2013154029.tif 000003
【図２】
2013154029.tif 000004
【図３】
2013154029.tif 000005
【図４】
2013154029.tif 000006
【図５】
2013154029.tif 000007
【図６】
2013154029.tif 000008